(57)【特許請求の範囲】
【請求項１】
食器洗浄庫(1)の下部に形成された水槽(11)内の洗浄水がポンプ(P)によって吸引されて旋回ノズルから噴射される食器洗浄器に於いて、
前記食器洗浄庫(1)の構成壁外面に添設してこれを加熱するヒータユニットが設けられており、
前記ヒータユニットは、振動吸収用の制振耐熱ゴム層の一面に沿うように接着された熱線反射用のアルミ箔と、断面が前記一面から沈んだ状態になるように前記アルミ箔表面に添わせて接着されたシーズヒータと、前記アルミ箔表面に形成された接着機能層とを具備している、食器洗浄器。
【請求項２】
前記制振耐熱ゴム層は、ブチルゴム層(33)であり、
前記ブチルゴム層(33)の表裏両面のうち、前記シーズヒータの添設面と反対側の面に沿うように第２のアルミ箔が接着されている、請求項１に記載の食器洗浄器。
【発明の詳細な説明】
【０００１】
【発明の属する技術分野】
この発明は食器洗浄器、特に、食器洗浄後に乾燥する形式の食器洗浄器に関するものである。
【０００２】
【従来の技術】
この種食器洗浄器として、既に、図５に示す構成のものが知られており、このものでは、食器洗浄庫（１）  の底部に水槽（１１）が設けられ、この水槽（１１）の上方に食器類を収容する食器籠（１２）（１３）が取り出し自在に収容されている。
そして、これら食器籠（１２）（１３）に収容される食器類に対して下方から洗浄水を噴射する為の旋回ノズル（２ａ）（２ｂ）が設けられ、これら旋回ノズル（２ａ）（２ｂ）からの噴射洗浄水が前記食器類にうち当てられて、洗浄動作が実行される。特に、この例では、水槽（１１）内の温水はヒータ（Ｈ）  によって加熱されているから前記洗浄水は所定の温度の温水となるので洗剤等を投入した前記洗浄水の洗浄効率が向上する。
【０００３】
前記食器洗浄後には、乾燥工程があることから、上記ヒータ（Ｈ）  に加えて食器洗浄庫（１）  の側壁にヒータを取付けて水槽（１１）の上方域を加熱することにより、前記乾燥工程における乾燥速度を速めることが考えられる。この場合、前記側壁用のヒータとして、水槽（１１）を加熱する為の前記ヒータと同様に、ヒータのみを前記側壁に取付けた場合には前記ヒータによる加熱効率が不十分となる。当該ヒータから前記側壁への熱移動度合いを十分なものとしにくいからである。また、前記洗浄水の噴射水等が衝突して振動音の発生し易い食器洗浄庫（１）  の振動音防止の為にはこれの表面を別途制振材によって被覆する必要がある。
【０００４】
【発明が解決しようとする課題】
本発明は、かかる点に鑑みて成されたもので、ヒータユニットによる加熱能力が十分でしかも食器洗浄庫(1)に生じる振動音をも抑制できるようにすることをその課題とする。
【０００５】
【課題を解決するための手段】
上記課題を解決するために講じた本発明の解決手段は
『前記食器洗浄庫(1)の構成壁外面に添設してこれを加熱するヒータユニットが設けられており、
前記ヒータユニットは、振動吸収用の制振耐熱ゴム層の一面に沿うように接着された熱線反射用のアルミ箔と、断面が前記一面から沈んだ状態になるように前記アルミ箔表面に添わせて接着されたシーズヒータと、前記アルミ箔表面に形成された接着機能層とを具備している』ことである。
【０００６】
このシーズヒータは発熱線がガラスやセラミック等の絶縁材料によって被覆され、場合によっては保護管によって更に被覆されたヒータである。
このヒータユニットは、食器洗浄庫(1)を前方に開放する槽とすれば、その左右の両側壁外面に設けられることも、背面側壁やその他の構成壁にも設けられることもある。
【０００７】
シーズヒータの熱は伝導により直接食器洗浄庫(1)の側壁に移動されると共に、前記アルミ箔の熱線反射機能によって反射されて食器洗浄庫(1)の側壁に反射されることとなる。
又、前記制振耐熱ゴムは振動吸収性を有するから、更には、接着によって壁面に取付けられるから、接着するだけでヒータユニットが所定の状態に取付けられると共に、振動吸収機能を発揮するものとなる。
【０００８】
さらに、シーズヒータがその断面が前記一面から沈んだ状態に添わせられて接着されるから、前記接着状態での前記熱移動効率が一層向上する。また、食器洗浄庫(1)の構成壁外面に対するヒータユニットの接着面積が広くなるから、食器洗浄庫(1)の側壁に生じる振動に対する振動吸収性能が向上する。
【０００９】
【発明の効果】
本発明は、上記構成であるから次の特有の効果を有する。
シーズヒータの熱が効率的に食器洗浄庫(1)に熱移動されるから、また、食器洗浄庫(1)の構成壁外面に添設状態に接着するだけ前記効果を有する状態に装着でき、しかも、振動音抑制機能を発揮するから、ヒータユニットによる加熱能力が十分でしかも、食器洗浄庫に生じる振動も抑制できるものとなる。
【００１０】
［その他］
＊ａ項
『前記制振耐熱ゴム層は、ブチルゴム層(33)であり、
前記ブチルゴム層(33)の表裏両面のうち、前記シーズヒータの添設面と反対側の面に沿うように第２のアルミ箔が接着されている』ものでは、シーズヒータからの熱がアルミ箔によって効率的に対象物に向けられると共に、対象面に生じる振動がブチルゴム層(33)によって効率的に抑制される。
【００１１】
また前記ブチルゴム層(33)の両面がアルミ箔によって被覆されているから、このヒータユニットは取扱易い。
【００１２】
【発明の実施の形態】
以下、本願発明の実施例の形態を、図示例と共に説明する。
本発明の実施の形態に係る食器洗浄器は、図１に示すように、食器洗浄庫(1)内を加熱する電気ヒータに関する構成の他は、従来のものと同様であり、前方開放の食器洗浄庫(1)の開放端にこれを開閉する開閉扉(2)を設けるようにケーシング(10)内に収容したもので、前記ケーシング(10)の下部で前記食器洗浄庫(1)の底部下面には旋回ノズル(2a)(2b)に洗浄水を供給する為のポンプ(P)が設けられている。
【００１３】
食器洗浄庫（１）  の天井には排気口（１４）が設けられ、この排気口（１４）から前記ケーシング（１０）の前面に開口する排気ダクト（１５）が食器洗浄庫（１）  の天井とケーシング（１０）の天板との間に配置されている。
食器洗浄庫（１）  内には、下段の食器籠（１２）及び上段の食器籠（１３）が取り出し自在に装備され、前記食器籠（１２）の下方には旋回ノズル（２ａ）が上段の前記食器籠（１３）の下方には旋回ノズル（２ｂ）が夫々設けられ、上方の食器類に洗浄水が噴射される。
【００１４】
前記食器洗浄庫（１）  の下部に形成された水槽（１１）にはヒータ（Ｈ）  が設けられているから、このヒータ（Ｈ）  によって加熱された洗浄水がポンプ（Ｐ）  によって吸引されて旋回ノズル（２ａ）（２ｂ）から噴射されることとなる。
前記食器洗浄庫（１）  の左右の側面には、図２に示すように、ヒータユニット（３）（３）が添設されている。
【００１５】
このヒータユニット（３）  は、図３に示すように、全体として矩形状に構成された被覆シート（３２）と、これに添設固定される加熱手段たるシーズヒータ（３１）とからなる。前記被覆シート（３２）は、図４に示すように、ブチルゴム層（３３）とこれの表裏両面を被覆するアルミ箔（３４）（３４）とからなり、前記シーズヒータ（３１）からの熱線を反射し且断熱機能を発揮する。このヒータユニット（３）  は、この被覆シート（３２）の一方の面にシーズヒータ（３１）を押しつけるように添設して接着剤（３５）によって一体的に結合した構成である。そして、このシーズヒータ（３１）の添設面の略全域には剥離性シート（３６）が被覆され、これが前記接着剤（３５）によって前記添設面に接着されている。
【００１６】
従って、この剥離性シート（３６）を剥離して前記接着剤（３５）を用いて食器洗浄庫（１）  の側壁外面に張り付けると、図２のようにシーズヒータ（３１）が前記側壁外面を直接伝導加熱するように添設され、この部分が所定の範囲に亙って被覆シート（３２）によって被覆されたものとなる。
洗浄時に旋回ノズル（２ａ）（２ｂ）から噴射された洗浄水が食器類に当たった後に側壁内面に衝突することによって生じる振動音が前記食器洗浄庫（１）  の側壁に生じるが、前記被覆シート（３２）はブチルゴム層（３３）を具備することから、この被覆シート（３２）が制振作用を発揮し食器洗浄庫（１）  に於ける前記振動音が抑制される。
【００１７】
この制振作用を高めるには、ブチルゴム層（３３）の厚さが厚い程よいが、この例では、１．５ｍｍ程度に設定している。食器洗浄庫（１）  の左右の側壁の約５０％を前記ヒータユニット（３）  によって被覆するようにした場合、これを添設しないものに比べて振動音が７％程度低下した。
また、このヒータユニット（３）  では、被覆シート（３２）の表裏両面がアルミ箔（３４）（３４）になっているから、シーズヒータ（３１）の熱が特に内側の前記アルミ箔（３４）によって食器洗浄庫（１）  の側壁側に反射されると共にブチルゴム層（３３）が断熱作用を発揮するから、シーズヒータ（３１）による食器洗浄庫（１）  内の加熱効率が高いものとなる。
【００１８】
さらに、このヒータユニット（３）  では、シーズヒータ（３１）が被覆シート（３２）の断面に埋没する態様、又は、シーズヒータ（３１）の断面の約半分を前記被覆シート（３２）が被覆する態様に添設され、接着剤（３５）の塗布面がほぼ一様な平面に仕上げられているから、食器洗浄庫（１）  の側壁に添設するに際して、前記側壁とヒータユニット（３）  との密着度が良くこの点でも制振作用及び加熱効率が向上することとなる。
【００１９】
なお、上記ヒータユニット(3)は、図１及び図２に示すように、その下辺が食器洗浄庫(11)の下端より上方でその近傍に位置するように添設されているから、このヒータユニット(3)のシーズヒータ(31)からの熱が水槽(11)の上方空間を加熱することに有効に作用する。水槽(11)内は、底部に設けたヒータ(H)によって別個に加熱されるから、水槽(11)内の洗浄水の温度が所定の温度に維持された状態で前記水槽(11)の上方空間が効率的に加熱される。
［その他の変形について］
【００２０】
被覆シート(32)のブチルゴム層(33)に代えて他の制振耐熱ゴム層を用いてもよい。なお、底部ヒータ(H)は設けなくてもよく、この場合には、側壁に取付けるヒータユニット(3)の発熱量を大きく設定することとなる。
また、外面側のアルミ箔(34)は必ずしも必要ではないが、被覆シート(32)の全体の形を保つ、所謂、保形性能の点でこの外側のアルミ箔(34)は有効である。
【図面の簡単な説明】
【図１】本発明の実施の形態の断面図
【図２】食器洗浄庫（１）  の斜視図
【図３】ヒータユニット（３）  の斜視図で、接着剤（３５）を塗布する前の状態の斜視図
【図４】ヒータユニット（３）  の断面図
【図５】従来例の説明図
【符号の説明】
（１）  ：食器洗浄庫  （１１）：水槽  （１２）（１３）：食器籠  （２ａ）（２ｂ）：旋回ノズル
（Ｈ）  ：ヒータ開閉扉  （２）  ：開閉扉  （１０）：ケーシング  （Ｐ）  ：ポンプ
（１４）：排気口  （１５）：排気ダクト  （３）  ：ヒータユニット  （３１）：シーズヒータ
（３２）：被覆シート  （３３）：ブチルゴム層  （３４）：アルミ箔
（３５）：接着剤  （３６）：剥離性シート
（尚、各図中同一符号は同一又は相当部分を示す。）
【図１】
0003607500.tif 000002
【図２】
0003607500.tif 000003
【図３】
0003607500.tif 000004
【図４】
0003607500.tif 000005
【図５】
0003607500.tif 000006